(57)【特許請求の範囲】
【請求項１】
遊技盤と、該遊技盤面上に設けられたベース部材、及び該ベース部材に設けた収容穴から該遊技盤と平行方向に昇降自在に構成された昇降部材を有した第１の可動役物と、を備え、
前記昇降部材は、胴部と、該胴部の上部に設けられ該胴部よりも横幅の大きい頭部と、を備え、
前記収容穴の内壁と前記胴部との間には、少なくとも一つの遊技球を落下させるスペースを有した遊技球進入経路が形成されており、
前記昇降部材が退避位置にある時には前記頭部が前記遊技球進入経路の上部開口を塞ぐ一方で、該昇降部材が突出位置にある時には前記遊技球進入経路の上部開口が開放されて遊技球が前記遊技球進入経路を通過して前記ベース部材外部へ排出されるように構成されており、
前記昇降部材が退避位置にある時には、前記胴部と前記収容穴内壁との間には遊技球を通過させるスペースは存在せず、前記昇降部材が突出位置に達する過程で前記胴部と前記収容穴内壁との間に遊技球を通過させるスペースが形成され、
前記収容穴の内周縁部と、該収容穴内に退避した前記昇降部材の上部外周縁部との間に遊技球を受入れ可能な隙間を備え、
前記収容穴に退避した前記昇降部材と近接する移動経路に沿って該図柄表示装置前方を進退する可動部材を有した第２の可動役物を備え、
前記第１の可動役物を駆動する第１の駆動機構と、前記第２の可動役物を駆動する第２の駆動機構と、前記各駆動機構を制御する制御手段と、を備え、
前記制御手段は、前記昇降部材が退避位置にあり、且つ前記第２の可動役物の可動部材が該昇降部材の昇降経路から退避した位置にある時に、前記第１の駆動機構を制御して前記第１の可動役物を少なくとも一回、突出動作、退避動作させることを特徴とする遊技機。
【請求項２】
前記遊技盤は開口部を有し、該開口部の内奥側には図柄表示装置が配置され、
前記ベース部材は、前記図柄表示装置の下部前方に配置され、前記第１の可動役物は該図柄表示装置前方に昇降自在に構成されることを特徴とする請求項１に記載の遊技機。
【請求項３】
前記第１の可動役物は、前記図柄表示装置を支持する液晶ベース枠の前面に固定され、
前記液晶ベース枠には、前記遊技球進入経路の下部開口と連通する排出部が設けられていることを特徴とする請求項１又は２に記載の遊技機。
【発明の詳細な説明】
【技術分野】
【０００１】
本発明はパチンコ遊技機等の遊技盤面内の役物部に飛び込んだ遊技球を効率的に遊技機外部へ排出することができる遊技機に関する。
【背景技術】
【０００２】
パチンコ遊技機においては、遊技盤の盤面に入賞口、風車、図柄表示装置、電飾装置等の各種盤面部品を設けて遊技内容の多様性を図り、遊技の進行中における入賞、その他の状況変化を契機として可動盤面部品を種々の方向に動作させることにより演出効果を高めている。
例えば、遊技盤に設けられた始動入賞口に遊技球が入賞すると、遊技盤中の図柄表示装置の液晶画面に表示される図柄が変動を開始し、所定時間経過後に停止した図柄が予め定めた大当たり図柄となった場合に大当たり状態となり、遊技者が大量の出球を獲得できるようになっている。このような遊技機では、遊技の興趣を高めるために様々な表示演出が行われる。
【０００３】
ところで、遊技盤面を流下する遊技球が、図柄表示装置の液晶画面の前方に配置された可動役物の配置領域へ飛び込んだ場合には、可動役物と干渉して種々の不具合をもたらす虞がある。
特許文献１、２には、可動役物の配置領域に飛び込んだ遊技球をステージ部に導き、ステージ部に設けた排出口から遊技機外部へ排出させるようにした遊技機が提案されている。
また、特許文献３には、遊技盤面から可動役物の配置領域へ遊技球が飛び込むことを防止するためにカバー部材を設けた構成が開示されている。
しかしながら、可動役物に遊技球が飛び込んだ場合に遊技球を排出するための格別の部品を増設することなく、安価且つ確実に遊技球を排出するものはこれまで提案されていない。
【０００４】
なお、可動役物の前後方向位置は遊技盤の盤面よりも後方にあり、しかも遊技盤面を流下する遊技球が可動役物が配置された後方へ飛び込むことがないようにするために特許文献３に開示された如きカバー部材が可動役物の前方に配置されている。このため、通常の遊技状態では、動役物に遊技球が飛び込むことはない。
しかし、遊技球発射装置から打ち出され、遊技領域内に流下してきた遊技球が、遊技領域の左上部に配置された遊技釘群に引っ掛かりを起こして葡萄状の球詰まりを形成することがある。この葡萄状態が発生した場合には、遊技を中断させて、ホールの担当者にガラス扉を開放して詰まりを起こした遊技球を分散落下してもらう措置を講じる必要がある。この分散落下する過程で遊技球の一部が各所で跳ね返り、前記仕切り板を越えて可動役物側に入り込むことがある。
【先行技術文献】
【特許文献】
【０００５】
【特許文献１】特開２００６−１３６５０１公報
【特許文献２】特開２００８−１８３０３２公報
【特許文献３】特開２０１１−０９２６３９公報
【発明の概要】
【発明が解決しようとする課題】
【０００６】
以上のように、可動役物側に遊技球が飛び込んだ場合に、遊技球を排出するための格別の部品を増設することなく、安価且つ確実に遊技球を排出する技術はこれまで提案されていない。
本発明は上記に鑑みてなされたものであり、遊技盤面から可動役物側に遊技球が飛び込んだ場合に、遊技球を排出するための格別の部品を増設することなく、安価且つ確実に遊技球を排出することができる遊技機を提供することを目的としている。
【課題を解決するための手段】
【０００７】
上記目的を達成するため、本発明に係る遊技機は、遊技盤と、遊技盤面上に設けられたベース部材、及び該ベース部材に設けた収容穴から遊技盤と平行方向に昇降自在に構成された昇降部材を有した第１の可動役物と、を備え、前記昇降部材は、胴部と、該胴部の上部に設けられ該胴部よりも横幅の大きい頭部と、を備え、前記収容穴の内壁と前記胴部との間には、少なくとも一つの遊技球を落下させるスペースを有した遊技球進入経路が形成されており、前記昇降部材が退避位置にある時には前記頭部が前記遊技球進入経路の上部開口を塞ぐ一方で、該昇降部材が突出位置にある時には前記遊技球進入経路の上部開口が開放されて遊技球が前記遊技球進入経路を通過して前記ベース部材外部へ排出されるように構成されており、前記昇降部材が退避位置にある時には、前記胴部と前記収容穴内壁との間には遊技球を通過させるスペースは存在せず、前記昇降部材が突出位置に達する過程で前記胴部と前記収容穴内壁との間に遊技球を通過させるスペースが形成され、前記収容穴の内周縁部と、該収容穴内に退避した前記昇降部材の上部外周縁部との間に遊技球を受入れ可能な隙間を備え、前記収容穴に退避した前記昇降部材と近接する移動経路に沿って該図柄表示装置前方を進退する可動部材を有した第２の可動役物を備え、前記第１の可動役物を駆動する第１の駆動機構と、前記第２の可動役物を駆動する第２の駆動機構と、前記各駆動機構を制御する制御手段と、を備え、前記制御手段は、前記昇降部材が退避位置にあり、且つ前記第２の可動役物の可動部材が該昇降部材の昇降経路から退避した位置にある時に、前記第１の駆動機構を制御して前記第１の可動役物を少なくとも一回、突出動作、退避動作させることを特徴とする。
昇降部材が突出位置にある時に遊技球が遊技球進入経路を経由してベース部材外部へ排出可能な状態となる場合には、突出位置に達する手前の段階で遊技球が排出可能になる場合も含む。
【０００８】
本発明は、前記昇降部材が退避位置にある時には、前記胴部と前記収容穴内壁との間には遊技球を通過させるスペースは存在せず、前記昇降部材が突出位置に達する過程で前記胴部と前記収容穴内壁との間に遊技球を通過させるスペースが形成され、前記遊技盤は開口部を有し、該開口部の内奥側には図柄表示装置が配置され、前記ベース部材は、前記図柄表示装置の下部前方に配置され、前記第１の可動役物は該図柄表示装置前方に昇降自在に構成されることを特徴とする。
突出位置に達する過程でとは、突出位置に達した段階と、突出位置に達する手前の段階を含む。
本発明では、前記第１の可動役物は、前記図柄表示装置を支持する液晶ベース枠の前面に固定され、前記液晶ベース枠には、前記遊技球進入経路の下部開口と連通する排出部が設けられていることを特徴とする。
【発明の効果】
【０００９】
本発明によれば、役物部に飛入した遊技球を、特別な排出部材などを設けることなく確実に遊技盤外に排出することが可能となる。
【図面の簡単な説明】
【００１０】
【図１】本発明に係る遊技機の一例としてのパチンコ遊技機の正面図である。
【図２】遊技盤及び搭載された各種部品を示す正面図である。
【図３】液晶ベース枠と、液晶ベース枠に搭載された各種可動役物を示す正面側斜視図である。
【図４】図３の分解斜視図である。
【図５】昇降駆動機構の構成例を示す昇降ユニットの背面図である。
【図６】液晶ベース枠底面に設けた排出部の構成を示す正面上側斜視図である。
【図７】液晶ベース枠底面に設けた排出部の構成を示す正面底面側斜視図である。
【図８】液晶ベース枠に昇降ユニットを組み付けた状態を示す正面底面側斜視図である。
【図９】第１及び第２の可動役物の位置関係と遊技球の挙動との関係を示す正面図である。
【図１０】第２の可動役物が突出位置に移動開始した状態を示す正面図である。
【図１１】昇降部材が突出した場合における遊技球排出状態を示す正面図である。
【図１２】昇降部材が突出した場合における遊技球排出状態を示す斜視図である。
【発明を実施するための形態】
【００１１】
以下、本発明を図面に示した実施の形態により詳細に説明する。
図１は本発明に係る遊技機の一例としてのパチンコ遊技機の正面図であり、図２は遊技盤及び搭載された各種部品を示す正面図である。
遊技盤１の前面側には、ガラス板を支持したガラス枠２が開閉可能に取り付けられている。また遊技盤１の下部には遊技球を貯留する受け皿部３と、受け皿部内の遊技球を発射する発射レバー４が設けられている。また、受け皿部３の上面には遊技機用ボタンスイッチや、遊技球の購入ボタン、購入取り消しボタン（何れも図示せず）が設けられている。
遊技盤１の裏面には、液晶画面、主制御基板とサブ制御基板等、遊技の進行、演出に関わる裏部品を組み付けた合成樹脂製の機構板（何れも図示せず）が開閉自在に装着されている。遊技盤１における遊技領域１ａの周囲には、発射レバー４を操作することにより発射装置から発射された遊技球を遊技領域１ａの上部に案内したり、アウト口８に案内する外レールＲ１、及び内レールＲ２が設けられている。
【００１２】
遊技盤１のほぼ中央部に形成された開口部１ｂ内には、中央が開口したセンター部材５が配置される。センター部材５の内部には図柄表示装置６が配置されている。図柄表示装置６は、例えば、液晶表示装置等の液晶表示パネルによって構成され、通常動作状態の時は、図示しない特別図柄画像が表示される。また、いわゆる特別遊技状態の時は、特別遊技状態であることを示す演出画像等が表示される。本例では、図柄表示装置６の前方に仮面を象った２枚の開閉片７が横方向へ開閉自在に配置されている。
センター部材５の中央下部には図柄表示装置６の特別図柄を可変表示させるための第１始動口９が配置されている。センター部材５の右下方には、図柄表示装置６の特別図柄を可変表示させるための可変入賞装置１１が設けられている。また、可変入賞装置１１の右側には、普通図柄表示装置１６に表示される普通図柄を作動させるためのゲート１２が設けられている。さらに可変入賞装置１１の下方には、特別遊技状態の一つである大当たり状態のときに開成状態になる開閉扉を有する大入賞口１３が設けられている。
可変入賞装置１１は、図柄表示装置６を可変表示させるための左右一対の開閉爪（可動片）を有する電動式チューリップを備えて構成される。
【００１３】
また遊技盤１には普通入賞口１４やアウト口８等が設けられていると共に、風車１５や図示しない多数の遊技釘が突設されている。遊技釘は、遊技球の落下速度を遅くすると共に、落下方向を複雑に変化させて遊技進行上の興趣を高めている。
普通図柄表示装置１６に表示される普通図柄は、１個または複数個の図柄を変動表示可能であり、普通図柄始動口としてのゲート１２が遊技球を検出することを条件に、その図柄が乱数制御等により所定時間可変して停止するようになっている。
また図柄表示装置６に表示される特別図柄は、停止図柄が予め定められた図柄の組合せ、例えば同一図柄の組合せとなった場合に大当たり状態となるように構成されている。また特別図柄は可変入賞装置の電動式チューリップの開成動作により遊技球が誘導される下始動口（図示していない）において遊技球を検出することを条件に乱数制御等により表示がスクロールする等、所定の変動パターンで所定時間変動（可変）して図柄で停止するようになっている。その際、有効ライン上に２個の停止図柄が同一となった場合に、リーチ状態が発生し、このリーチ状態において、有効ライン上の最後の停止図柄が既に停止している２個の図柄と同一となった場合に大当たり状態が発生する。なお、特別図柄としては、数字図柄、アルファベット図柄、キャラクター図柄等が使用可能である。
【００１４】
図３は液晶ベース枠と、液晶ベース枠に搭載された各種可動役物を示す正面側斜視図であり、図４は図３の分解斜視図であり、図５は昇降駆動機構の構成例を示す昇降ユニットの背面図であり、図６は液晶ベース枠底面に設けた排出部の構成を示す正面上側斜視図であり、図７は液晶ベース枠底面に設けた排出部の構成を示す正面底面側斜視図であり、図８は液晶ベース枠に昇降ユニットを組み付けた状態を示す正面底面側斜視図である。
液晶ベース枠３０は、背面によって図柄表示装置６の前面を支持する背板３１と、背板３１の左右両側縁から前方に突設された側板３２、３３と、天板３４と、底板３５と、を備えている。背板３１の開口部３１ａ内には図柄表示装置６の画面が露出している。
開閉片７の下部には、各開閉片を開閉駆動する開閉駆動機構４１が取り付けられており、両者は開閉ユニット４０として構成されている。この開閉ユニット４０は液晶ベース枠３０に対して前面側から組み付けられる。開閉駆動機構４１は、図５に示した制御手段（ＣＰＵ）９０によって制御される。
【００１５】
符号５０は第１の可動役物としての昇降ユニットであり、この昇降ユニット５０は、ベース部材５１と、ベース部材５１の上面に形成された収容穴５２内から上下方向に出没自在に構成された昇降部材５５と、昇降部材５５を昇降駆動する昇降駆動機構（第１の駆動機構）５７と、を備えている。昇降ユニット５０は、液晶ベース枠３０の開口部３１ａの下方に位置する背面板部分３１ｂと底板３５を利用して前方から固定される。
収容穴５２の底部には、収容穴内に進入してきた遊技球をベース部材外部に排出するための開口部が形成されている。
昇降駆動機構５７は、図５に示すようにベース部材５１に固定されたモータ５８と、モータ５８の上方のベース部材背面に回転自在に軸支されてモータによって回転駆動される左右２つのピニオンギヤ５９と、昇降部材５５に固定されて各ピニオンギヤ５９と噛合するラックギヤ６０と、を備えている。各ピニオンギヤ５９を矢印で示す上昇方向へ回転することにより、これらと噛合する各ラックギヤ６０が上昇し、昇降部材５５を上昇させる。モータの逆転により各ピニオンギヤ５９が下降方向へ回転すると昇降部材５５が下降する。なお、昇降駆動機構５７は図示した構成に限らず、昇降部材を昇降させることができれば、どのような構成であってもよい。
昇降駆動機構５７は図５に示した制御手段（ＣＰＵ）９０によって制御される。
【００１６】
昇降部材５５は、横幅が狭い胴部６１と、横幅が広い庇状の頭部６２とから構成されており、ベース部材５１の肩部５１ａと昇降部材５５の頭部６２の両端縁との間にはＶ字状の隙間（凹所）Ｓが形成されている。
符号７０は第２の可動役物としての揺動ユニットであり、図柄表示装置６の右側縁に退避した退避位置と、図柄表示装置の画面上に突出した突出位置との間を進退自在に構成されている。揺動ユニット７０は、液晶ベース枠３０の右上隅に固定される揺動駆動機構（第２の駆動機構）７１と、揺動駆動機構７１によって上部を図柄表示装置前面と並行に揺動自在に支持された揺動アーム７３と、揺動アームの先端に取り付けられたヨーヨー（可動部材）７５と、を備えている。
揺動駆動機構７１は、制御手段（ＣＰＵ）９０によって制御される。
ヨーヨー７５は、収容穴５２内に退避した昇降部材５５の頭部６２と近接する移動経路に沿って図柄表示装置前方を進退する。昇降部材５５が突出位置にある時にヨーヨー７５が突出位置に移動すると両部材が干渉、衝突するため、制御手段は昇降部材５５が退避位置にある時に限って揺動駆動機構７１を作動させて揺動アーム７３を動作させる。
【００１７】
昇降部材５５が収容穴５２内に完全に退避した位置にある時に、退避位置にあった揺動アームが揺動を開始して昇降部材の頭部６２の近傍を通過しても両者が接触することはないが、遊技領域から昇降ユニット５０が配置された内奥部に落下してきた遊技球が一個、又は二個程度隙間Ｓに溜まっている場合には、ヨーヨー（可動部材）７５が遊技球を通過する際に頭部６２との間で遊技球を噛み込むことがある（図１０の状態）。
このような不具合をなくするため、本発明では、ベース部材に形成した収容穴５２の内壁（側壁）と胴部６１との間に、少なくとも一つの遊技球を収容穴内に落下させるスペースを有した遊技球進入経路８０を形成し、昇降部材５５が退避位置にある時には頭部６２が遊技球進入経路８０の入口（上部開口８０ａ）を塞ぐ一方で、昇降部材５５が突出位置にある時には遊技球進入経路の入口が開放されるように構成した。本例では、遊技球進入経路８０は、収容穴５２の左右の側壁に沿って夫々一箇所ずつ形成されており、その下部は開口してベース部材外部と連通しており、上部開口８０ａから進入してきた遊技球を下部開口８０ｂから昇降ユニット（ベース部材）外部へ排出できるように構成されている。
【００１８】
但し、昇降部材５５が退避位置にある時においても、常に胴部６１と収容穴５２の内側壁との間に遊技球を通過させることができるスペースを確保するとすれば、胴部の横幅が収容穴の横幅よりも大幅に狭くなり、昇降部材が突出して遊技者から胴部が視認できる状態となった時に、デザイン上胴部幅が過小になり、見栄えが悪くなるという問題がある。
そこで、本実施形態では、昇降部材の横幅を狭くすることなく、昇降部材５５が退避位置にある時における昇降部材の側壁と収容穴の側内壁との間のスペースを遊技球が通過できない程度に小さくする一方で、昇降部材が突出位置に移動する過程で、隙間Ｓ内に入り込んでいた遊技球Ｂが、胴部が上方に移動した後の空所としての収容穴５２内に落下するように構成した。これにより、昇降部材の胴部の横幅を最大限に大きくレイアウトでき、見栄えの悪化を防止できる。
本例では、昇降部材が退避位置にある時には、胴部と収容穴との間に遊技球が進入できない程度に狭いスペースを形成する一方で、昇降部材が突出位置に達した時、或いは突出位置に達する手前で、胴部と収容部との間に遊技球が落下し得る程度の広いスペースが形成されて隙間Ｓ内の遊技球が収容部内に自然落下するように構成している。
なお、ベース部材の肩部５１ａの上面に傾斜をもたせて、肩部上の遊技球が隙間Ｓ内に移動し易いように構成してもよい。
【００１９】
また、図６、図７、図８に示すように、液晶ベース枠３０の底板３５には、遊技球進入経路８０の下部開口８０ｂと連通して進入してきた遊技球を液晶ベース枠３０の外部、そして遊技機外へ排出するための排出部８２が設けられている。排出部８２は、底板３５に設けた２箇所の凹所８２ａであり、凹所８２ａの底面は開口している。各凹所８２ａは各遊技球進入経路８０の下部開口８０ｂと連通しており、昇降部材が上昇することによって開放した遊技球進入経路８０の上部開口８０ａから進入して下部開口８０ｂから昇降ユニット外部に排出されてきた遊技球は各排出部８２から遊技機外へ排出される。
更に、制御手段９０は、昇降ユニット５０が収容穴５２内に完全に退避した退避位置にあり、且つ揺動ユニット７０が昇降ユニットの出没経路から退避した位置にある時に、昇降駆動機構５７を制御して昇降部材５５を少なくとも一回ずつ、連続して、或いは間欠的に、突出動作、及び退避動作させる。これにより、ベース部材５１の肩部５１ａ上の遊技球や、隙間Ｓに入り込んでいた遊技球を遊技球進入経路８０内に落とし込んで遊技機外へ排出することができる。
【００２０】
次に、図９は第１及び第２の可動役物の位置関係と遊技球の挙動との関係を示す正面図であり、図１０は第２の可動役物が突出位置に移動開始した状態を示す正面図であり、図１１、及び図１２は昇降部材が突出した場合における遊技球排出状態を示す正面図、及び斜視図である。
図９に示したように昇降ユニット（昇降部材）及び揺動ユニット（ヨーヨー）が共に退避位置にある時に、昇降ユニット上に遊技球が侵入してくると、遊技球はベース部材５１の肩部５１ａ上から隙間Ｓ内に移動してきてここに入り込む。隙間Ｓ内の遊技球は頭部６２に邪魔されて収容穴内に入り込むことはできない。また、昇降部材の退避時においては胴部６１の両側壁と収容穴５２の両内側壁との間のスペースは遊技球が通過できない程度に狭く設定されている。
【００２１】
図１０では２個の遊技球Ｂが隙間Ｓに入り込んでいるため、この状態でヨーヨー７５が突出位置に移動してくると、昇降部材との間で遊技球を噛み込んでロック状態となる。
即ち、昇降部材５５側に飛び込んだ遊技球Ｂは、昇降部材が収容穴５２内に退避した状態では、ベース部材５１の肩部上に溜まる。図１０の例では、収容穴の内周縁部と、収容穴内に退避した昇降部材の上部外周縁部との間に形成される隙間Ｓ内に遊技球Ｂが引っ掛かっている。
この状態で揺動ユニットを揺動させると、図示のように隙間Ｓ内に位置する遊技球Ｂとヨーヨー７５とが干渉してヨーヨーがロックを起こし、ヨーヨーが内側、或いは外側に移動できなくなる。
また、本発明のように収容穴５２内に遊技球進入経路８０（遊技機外部へ遊技球を排出する排出部８２）を形成しない場合には、隙間Ｓ内に遊技球が入り込んだ状態で昇降部材５５を上昇させると、遊技球が昇降部材の胴部と収容穴内壁との間の空所に入り込み、ここを経由して収容穴の底部に達してここに滞留する。収容穴５２の底部に遊技球が滞留していると、昇降部材を下降させた時に遊技球が邪魔となって最下降位置まで退避できなくなる。この場合、昇降部材の上部がヨーヨー７５の移動経路と常時干渉する位置関係となるため他の可動部材を作動させることができなくなり、遊技機を停止してホール担当者に対応してもらわざるを得なくなる。遊技機の稼動停止は、遊技者の興趣の低下、遊技機の稼働率の低下をもたらすため、改善策が強く求められている。
【００２２】
そこで、本発明では、図１１、図１２に示すように揺動ユニット７０を作動させてヨーヨー７５を突出位置に移動させる前に、昇降ユニット５０を作動させて少なくとも一回だけ昇降部材５５を昇降動作させる。昇降部材が上昇する過程で、胴部と収容穴との間に少なくとも一個の遊技球が落下し得るスペース（遊技球進入経路８０）が形成されるように構成しているため、一回の昇降動作によって隙間Ｓ内にあった遊技球はこの広いスペースを経由して収容穴の底部へ落下し、各排出部８２から遊技機外へ排出されてゆく。つまり、収容穴の底部へ落下した遊技球は収容穴内に溜まることがない。
本例では、胴部６１の上部６１ａの横幅が下部６１ｂよりも広くなっているため、昇降部材の上昇過程で上部６１ａが隙間Ｓを通過するまでは遊技球は収容穴内に落下することができない。一方、胴部の下部６１ｂは横幅が狭くなっているため、下部６１ｂが隙間Ｓに達すると遊技球が通過可能なスペースが形成され、遊技球が収容穴内に落下してゆく。
収容穴内に落下した遊技球は収容穴底部に溜まらないため、突出位置にあった昇降部材５５が下降して退避位置に移動した時に、遊技球によって下降仕切れなくなるということがなくなる。このため、ヨーヨー７５との干渉による故障やロック状態の発生を未然に防止することができる。
【００２３】
従来、図柄表示装置の前方において横方向に進退自在に構成された可動役物の移動軌跡と、上下方向へ出没自在に構成された他の可動役物の移動軌跡とが干渉する位置関係にある場合には、これらの可動役物の配置領域に侵入してきた遊技球が両可動役物間に挟まって作動不能に陥らせたり、或いは収容穴から出没自在に構成された可動役物が上昇した時に該収容穴内に遊技球が入り込んで可動役物を収容穴内に没入不能に陥らせるという不具合があった。
本発明によれば、図柄表示装置の下部前方に設けた収容穴から図柄表示装置の前面へ出没自在に構成された可動役物の周辺に遊技球が飛び込んでこの可動役物と他の可動役物の移動経路と干渉したり、収容穴に入り込んで可動役物を没入不能に陥らせるという不具合を解消することができる。
【符号の説明】
【００２４】
１…遊技盤、１ａ…遊技領域、１ｂ…開口部、２…ガラス枠、３…皿部、４…発射レバー、５…センター部材、７…開閉片、８…アウト口、９…始動口、１１…可変入賞装置、１２…ゲート、１３…大入賞口、１４…普通入賞口、１５…風車、１６…普通図柄表示装置、３０…液晶ベース枠、３１…背板、３１ａ…開口部、３１ｂ…背面板部分、３２…ベース部材、３２、３３…側板、３４…天板、３５…軸支部材、３５…底板、４０…開閉ユニット、４０、４１…回動アーム、４０Ａ、４１Ａ…長穴、４１…開閉駆動機構、５０…昇降ユニット、５１…ベース部材、５１ａ…肩部、５２…収容穴、５５…可動シャフト、５５…昇降部材、５７…昇降駆動機構、５８…モータ、５９…ピニオンギヤ、６０…ラックギヤ、６０…中間シャフト、６１…胴部、６１ａ…上部、６１ｂ…下部、６２…頭部、７０…駆動機構、７０…揺動ユニット、７１…揺動駆動機構、７３…揺動アーム、７５…ヨーヨー（可動部材）、８０…遊技球進入経路、８０ａ…上部開口、８０ｂ…下部開口、８２…排出部、８２ａ…凹所、９０…制御手段
【図１】
0005391242.tif 000002
【図２】
0005391242.tif 000003
【図３】
0005391242.tif 000004
【図４】
0005391242.tif 000005
【図５】
0005391242.tif 000006
【図６】
0005391242.tif 000007
【図７】
0005391242.tif 000008
【図８】
0005391242.tif 000009
【図９】
0005391242.tif 000010
【図１０】
0005391242.tif 000011
【図１１】
0005391242.tif 000012
【図１２】
0005391242.tif 000013